【手続補正書】
【提出日】平成17年4月27日(2005.4.27)
【手続補正１】
【補正対象書類名】特許請求の範囲
【補正対象項目名】全文
【補正方法】変更
【補正の内容】
【特許請求の範囲】
【請求項１】
両側の側部を有する引き伸ばし可能な裏面シートと、
両側の側部を有する液体透過性の上面シートと、
両側の側縁と或る面積を定める外面とを有する保持部と、
を備え、前記保持部は、前記外面が前記裏面シートに面し、且つ前記裏面シート及び前記上面シートの前記両側の側部が該保持部の側縁を越えて延びるように、前記上面シートと前記裏面シートとの間に配置され、
前記上面シートの前記両側の側部の少なくとも一部は、前記保持部の両側において、前記裏面シートの前記両側の側部の少なくとも一部に取り付けられ、前記保持部の前記外面は、前記保持部の前記両側の側縁の間に介在する前記裏面シートに取り付けられ、前記保持部の前記外面の面積の３０％より少ない部分が、前記裏面シートに取り付けられたことを特徴とする吸収性衣類。
【請求項２】
前記保持部は、該保持部の全長に沿って前記裏面シートに取り付けられることを特徴とする請求項１に記載の衣類。
【請求項３】
前記保持部は、液体不透過性障壁を備えることを特徴とする請求項１に記載の衣類。
【請求項４】
前記保持部は、前記上面シートに面し且つ或る面積を定める内面を備え、前記保持部の前記内面の面積の３０％より少ない部分が、前記上面シートに取り付けられたことを特徴とする請求項１に記載の発明。
【請求項５】
前記保持部の前記内面の面積の１０％より少ない部分が、前記上面シートに取り付けられたことを特徴とする請求項４に記載の発明。
【請求項６】
前記保持部は、該保持部の両側の側縁の少なくとも一方に沿って形成された少なくとも１つの折畳み部を備えることを特徴とする請求項１に記載の発明。
【請求項７】
前記少なくとも１つの折畳み部は、ｚ字形の折畳み部であることを特徴とする請求項６に記載の発明。
【請求項８】
前記裏面シートは、該裏面シートの各端に形成された横方向に延びる耳部を備えることを特徴とする請求項１に記載の発明。
【請求項９】
前記裏面シートの各側の前記耳部は、脚開口部を形成するために吸収性衣類の各側に取り付けられたことを特徴とする請求項８に記載の発明。
【請求項１０】
前記保持部の前記外面の面積の１０％より少ない部分が、前記裏面シートに取り付けられたことを特徴とする請求項１に記載の発明。
【請求項１１】
前記引き伸ばし可能な裏面シートは１１．８ｇ／ｃｍの引張力がかけられたときに少なくとも約１ｃｍの伸びを与える請求項１に記載の発明による吸収性衣類。
【請求項１２】
前記引き伸ばし可能な裏面シートは、１９．７０ｇ／ｃｍの引張力がかけられ、該引張力が除去されて弛緩されたときに、１分間は少なくとも約２０％の持続的変形を与えることを特徴とする請求項１１に記載の発明。
【請求項１３】
前記上面シートは、引き伸ばし可能であり、１１．８ｇ／ｃｍの引張力がかけられたときに少なくとも約１ｃｍの伸びを与えるようになった請求項１に記載の発明による吸収性衣類。
【請求項１４】
前記引き伸ばし可能な上面シートは、１９．７０ｇ／ｃｍの引張力がかけられ、該引張力が除去されて弛緩されたときに、１分間は少なくとも約２０％の持続的変形を与えることを特徴とする請求項１３に記載の発明。
【請求項１５】
両側の側部を有する引き伸ばし可能な裏面シートと、
両側の側部を有する液体透過性の上面シートと、
両側の側縁と或る面積を定める外面とを有する保持部と、
を備え、前記保持部は、前記外面が前記裏面シートに面し、且つ前記裏面シート及び前記上面シートの前記両側の側部が該保持部の側縁を越えて延びるように、前記上面シートと前記裏面シートとの間に配置され、前記保持部は、該保持部の両側の側縁の少なくとも一方に沿って形成された少なくとも１つの折畳み部を備え、前記少なくとも１つの折畳み部の少なくとも一部は、前記上面シートに取り付けられ、
前記上面シートの前記両側の側部の少なくとも一部は、前記保持部の両側において、前記裏面シートの前記両側の側部の少なくとも一部に取り付けられ、前記保持部の前記外面の面積の３０％より少ない部分が、前記裏面シートに取り付けられたことを特徴とする吸収性衣類。
【請求項１６】
両側の側部を有する引き伸ばし可能な裏面シートと、
両側の側部を有する液体透過性の上面シートと、
両側の側縁と、前記両側の側縁の少なくとも一方に沿って形成された少なくとも１つの折畳み部と、或る面積を定める外面とを有する引き伸ばし可能な保持部と、
を備え、前記保持部は、前記外面が前記裏面シートに面し、且つ前記裏面シート及び前記上面シートの前記両側の側部が該保持部の側縁を越えて延びるように、前記上面シートと前記裏面シートとの間に配置され、前記上面シートの前記両側の側部の少なくとも一部は、前記保持部の両側において、前記裏面シートの前記両側の側部の少なくとも一部に取り付けられ、前記保持部の前記外面の面積の３０％より少ない部分が、前記裏面シートに取り付けられ、前記保持部の前記外面は、前記保持部の前記両側の側縁の間に介在する前記裏面シートに取り付けられたことを特徴とする吸収性衣類。
【請求項１７】
前記保持部の前記外面の面積の１０％より少ない部分が、前記裏面シートに取り付けられることを特徴とする請求項１６に記載の衣類。
【請求項１８】
前記保持部は、該保持部の全長に沿って前記裏面シートに取り付けられることを特徴とする請求項１６に記載の衣類。
【請求項１９】
前記保持部は、液体不透過性障壁を備えることを特徴とする請求項１６に記載の衣類。
【請求項２０】
前記保持部は、前記上面シートに面し且つ或る面積を定める内面を備え、前記保持部の前記内面の面積の３０％より少ない部分が、前記上面シートに取り付けられたことを特徴とする請求項１９に記載の衣類。
【請求項２１】
前記上面シートは引き伸ばし可能であることを特徴とする請求項１６に記載の衣類。
【請求項２２】
前記引き伸ばし可能な上面シートは、１１．８ｇ／ｃｍの引張力がかけられたときに、少なくとも約１ｃｍの伸びを与えることを特徴とする請求項２１に記載の衣類。
【請求項２３】
前記引き伸ばし可能な上面シートは、１９．７０ｇ／ｃｍの引張力がかけられ、該引張力が除去されて弛緩されたときに、１分間は少なくとも約２０％の持続的変形を与えることを特徴とする請求項２２に記載の衣類。
【請求項２４】
前記保持部は一対の折畳み部を備え、該折畳み部の各々は前記両側の側縁の一方に沿って形成されたことを特徴とする請求項１６に記載の発明。
【請求項２５】
前記折畳み部の対の各々は、ｚ字形の折畳み部であることを特徴とする請求項２４に記載の発明。
【請求項２６】
前記引き伸ばし可能な裏面シートが、１１．８ｇ／ｃｍの引張力がかけられたときに少なくとも約１ｃｍの伸びを与える請求項１６に記載の衣類による吸収性衣類。
【請求項２７】
前記引き伸ばし可能な裏面シートは、１９．７０ｇ／ｃｍの引張力がかけられ、該引張力が除去されて弛緩されたときに、１分間は少なくとも約２０％の持続的変形を与えることを特徴とする請求項２６に記載の発明。
【請求項２８】
両側の側部を有する引き伸ばし可能な裏面シートと、
両側の側部を有する液体透過性の上面シートと、
両側の側縁と、前記両側の側縁の少なくとも一方に沿って形成された少なくとも１つの折畳み部と、或る面積を定める外面とを有する引き伸ばし可能な保持部と、
を備え、前記保持部は、前記外面が前記裏面シートに面し、且つ前記裏面シート及び前記上面シートの前記両側の側部が該保持部の側縁を越えて延びるように、前記上面シートと前記裏面シートとの間に配置され、前記少なくとも１つの折畳み部の少なくとも一部が、前記上面シートに取り付けられたことを特徴とする吸収性衣類。